(57)【要約】      （修正有）【課題】強度を高めて軽量化を図り、内容物を確実に保護し、型崩れを防止するとともに、汚れが付着しにくく、手入れが容易な腰袋を提供する。【解決手段】腰袋１０は、ベルト通し部１３を備えた後壁部１１と、後壁部１１の前面に収納部を形成する前側部１２が固定され、この前側部１２が前壁部１５、両側壁部１６、及び底壁部１７を有するとともに、硬質合成樹脂材料で形成されている。【選択図】図３
0003223380.tif 000002
【実用新案登録請求の範囲】
【請求項１】
ベルト通し部を備えた後壁部と、
前記後壁部の前面に収納部を形成する前側部が固定され、この前側部が前壁部、両側壁部、及び底壁部を有するとともに、硬質合成樹脂材料で形成されていることを特徴とする腰袋。
【請求項２】
前記前側部がポリカーボネートで一体成形されていることを特徴とする請求項１に記載の腰袋。
【請求項３】
前記両側壁部にそれぞれ上部が開口したポケット部が設けられていることを特徴とする請求項１又は２に記載の腰袋。
【請求項４】
前記後壁部は、合成樹脂材料製の板材の表面に繊維製の生地が設けられていることを特徴とする請求項１乃至３のいずれか一項に記載の腰袋。
【請求項５】
前記前側部は、その表面に凹凸が形成されていることを特徴とする請求項１乃至４のいずれか一項に記載の腰袋。
【考案の詳細な説明】
【技術分野】
【０００１】
本考案は、電気工事や建築工事等の工事において、各種作業工具や各種物品等を収納するための腰袋に関する。
【背景技術】
【０００２】
従来、この種の腰袋は、例えば特許文献１に記載された技術がある。この技術は、上面が開口した袋体の外表面に各種工具を収納するポケット部と、作業者の腰ベルトに吊り下げるためのベルト吊下げ部（ベルト通し部）とを備え、さらに上記袋体の外表面の所定箇所に開閉蓋付き通信用ポケットが設けられている構造としたものである。そして、上記袋体は、形態保持可能な皮革、厚布等の比較的丈夫な素材で形成されている。
【先行技術文献】
【特許文献】
【０００３】
【特許文献１】登録実用新案第３０１２３２１号公報
【考案の概要】
【考案が解決しようとする課題】
【０００４】
しかしながら、上記特許文献１に記載された技術は、上記袋体が皮革、厚布等の比較的丈夫な素材で形成されているにもかかわらず、素材自体が皮革、厚布であることから、強度が低いため、内容物を保護することができず、型崩れし易く、かつ汚れも付着し易いという問題がある。加えて、皮革、厚布は、手入れがしにくく、しかも皮革は重量が重くなるという問題もある。
【０００５】
本考案は、上記事情を考慮してなされたものであり、強度を高めて軽量化を図り、内容物を確実に保護し、型崩れを防止するとともに、汚れが付着しにくく、手入れが容易な腰袋を提供することを目的とする。
【課題を解決するための手段】
【０００６】
上記課題を解決するため、請求項１に記載の考案は、ベルト通し部を備えた後壁部と、前記後壁部の前面に収納部を形成する前側部が固定され、この前側部が前壁部、両側壁部、及び底壁部を有するとともに、硬質合成樹脂材料で形成されていることを特徴とする。
【０００７】
また、請求項２に記載の考案は、請求項１に記載の構成に加え、前記前側部がポリカーボネートで一体成形されていることを特徴とする。
【０００８】
また、請求項３に記載の考案は、請求項１又は２に記載の構成に加え、前記両側壁部にそれぞれ上部が開口したポケット部が設けられていることを特徴とする。
【０００９】
また、請求項４に記載の考案は、請求項１乃至３のいずれか一項に記載の構成に加え、前記後壁部は、合成樹脂材料製の板材の表面に繊維製の生地が設けられていることを特徴とする。
【００１０】
また、請求項５に記載の考案は、請求項１乃至４のいずれか一項に記載の構成に加え、前記前側部は、その表面に凹凸部が形成されていることを特徴とする。
【考案の効果】
【００１１】
請求項１に記載の考案によれば、後壁部の前面に収納部を形成する前側部が固定され、この前側部が前壁部、両側壁部、及び底壁部を有するとともに、硬質合成樹脂材料で形成されているので、腰袋としての強度を高めて軽量化を図り、内容物を確実に保護し、型崩れを防止するとともに、汚れが付着しにくく、手入れが容易になる。
【００１２】
また、請求項２に記載の考案によれば、請求項１に記載の考案の効果に加え、前側部がポリカーボネートで一体成形されていることにより、前側部を極めて容易に成形することができる。
【００１３】
また、請求項３に記載の考案によれば、請求項１又は２に記載の考案の効果に加え、両側壁部にそれぞれ上部が開口したポケット部が設けられているので、これらのポケット部に前側部の収納部とは異なる内容物を収納することもでき、使い勝手が良好になる。
【００１４】
また、請求項４に記載の考案によれば、請求項１乃至３のいずれか一項に記載の考案の効果に加え、後壁部は、合成樹脂材料製の板材の表面に繊維製の生地が設けられているので、合成樹脂材料製の板材によって後壁部の型崩れを防止する一方、表面に繊維製の生地を設けたことによって肌触りを良好にすることができる。
【００１５】
また、請求項５に記載の考案によれば、請求項１乃至４のいずれか一項に記載の考案の効果に加え、前側部の表面に凹凸部が形成されているので、前側部の強度を一段と高めることができる。
【図面の簡単な説明】
【００１６】
【図１】本実施の形態に係る腰袋を示す正面図である。
【図２】図１の背面図である。
【図３】図１の右側面図である。
【図４】図１の平面図である。
【図５】図２のＶ−Ｖ線による断面図である。
【考案を実施するための形態】
【００１７】
以下、本考案の実施の形態について、図面を参照して詳細に説明する。
【００１８】
図１は、本実施の形態に係る腰袋を示す正面図である。図２は、図１の背面図である。図３は、図１の右側面図である。図４は、図１の平面図である。図５は、図２のＶ−Ｖ線による断面図である。
【００１９】
なお、本実施の形態の腰袋では、作業者の腰部に当接する側を後側とし、その反対側を前側として説明する。
【００２０】
図１〜図５に示すように、本実施の形態の腰袋１０は、後壁部１１と、前側部１２とを備える。後壁部１１は、内部がポリエチレン、ポリプロピレン等の型崩れしないような強度を有する合成樹脂材料製の板材により構成されている。この板材の表面は、ポリエステル、ナイロン、布等の繊維製の生地により覆われている。後壁部１１は、上部の両角部がＣ面取りされる一方、下部の両角部がＲ面取りされている。後壁部１１は、背面の上部に２つのベルト通し部１３がリベット等の固定手段によって同じ高さで間隔をあけて固定されている。これらのベルト通し部１３は、例えばポリエステル、ナイロンで帯状に形成されている。
【００２１】
後壁部１１は、その外周端がポリエステル、ナイロン、布等と同等の生地を帯状に加工した後壁補強部１４によって被覆されている。後壁補強部１４は、後壁部１１に縫合することで固定されている。後壁補強部１４は、後壁部１１の外周端を補強する機能を有する他、後壁部１１の内部の合成樹脂材料製の板材のバリを隠す機能も有する。
【００２２】
前側部１２は、後壁部１１の下端近傍から上部までの高さを有し、後壁部１１の繊維製の生地に縫合されている。前側部１２は、前壁部１５、両側壁部１６、及び底壁部１７を有し、これらによって各種作業工具や各種物品等を収納する収納部１８が形成されている。前側部１２は、上部が開口し、硬質合成樹脂材料であるポリカーボネートによって一体に成形されている。両側壁部１６には、それぞれ斜壁部１６ａが形成されている。これらの斜壁部１６ａは、前壁部１５と両側壁部１６との間であって、前壁部１５と両側壁部１６に対して４５度の角度に形成されている。前壁部１５及び両側壁部１６の上端は、後壁部１１の外周端と同様の素材で加工された前側補強部１９が被覆されている。前側補強部１９も上述した後壁補強部１４と同様の機能を備えている。前壁部１５及び両斜壁部１６ａの表面には、凹凸部２０が形成されている。底壁部１７には、図４に示すように収納部１８に入った水を排出するために円形の排水孔１７ａが形成されている。この排水孔１７ａは、各種作業工具や各種物品が挿通せずに水だけを排出可能な径に設定されている。
【００２３】
両側壁部１６には、それぞれ上部が開口されたポケット部２１が設けられている。これらのポケット部２１は、両側壁部１６の下端近傍から上端近傍までの高さを有している。これらのポケット部２１は、例えば布、ＥＶＡ樹脂（エチレン酢酸ビニル共重合体：Ethylene Vinyl Acetate Copolymer）又はＥＶＡ樹脂を布で包んだものが用いられる。これらのポケット部２１は、両側壁部１６にそれぞれ縫合することで固定されている。
【００２４】
両側壁部１６の一方の上端には、カラビナ２２が取付部２３を介して固定されている。カラビナ２２は、開閉できる部品（ゲート）が設けられたステンレス鋼等の金属又は合成樹脂等からなるリングである。
【００２５】
次に、本実施の形態の腰袋の使用方法について説明する。
【００２６】
後壁部１１に設けた２つのベルト通し部１３に作業者の図示しない腰ベルトを通すことで、作業者が吊り下げた状態で使用することができる。また、作業者は、２つのベルト通し部１３に代えて、カラビナ２２を図示しないベルトループや腰ベルトに掛止して吊り下げることも可能である。そして、前側部１２の収納部１８に例えばドライバー、スパナ、ナイフ等の各種作業工具や、釘、ねじ類等の各種物品を収納する。なお、ポケット部２１には、前側部１の収納部１８に収納したドライバー、スパナ、ペンチ、ナイフ等の各種作業工具２と異なる内容物を収納することができる。
【００２７】
ここで、本実施の形態の底壁部１７は、ポリカーボネートから形成されているため、釘、ねじ等の物品や、ドライバー、スパナ、ナイフ等の作業工具のように先端が尖ったものを収納した場合でも、これらの先端が底壁部１７に直接当たって底壁部１７に孔が開くのを未然に防止することができる。
【００２８】
このように本実施の形態によれば、後壁部１１の前面に収納部１８を形成する前側部１２が固定され、この前側部１２が前壁部１５、両側壁部１６、及び底壁部１７を有するとともに、硬質合成樹脂材料で形成されているので、腰袋１０としての強度を高めて軽量化を図り、内容物を確実に保護し、型崩れを防止するとともに、汚れが付着しにくく、手入れが容易になる。
【００２９】
また、本実施の形態によれば、前側部１２がポリカーボネートで一体成形されていることにより、前側部１２を極めて容易に成形することができる。
【００３０】
さらに、本実施の形態によれば、両側壁部１６にそれぞれ上部が開口したポケット部２１が設けられているので、これらのポケット部２１に前側部１２の収納部１８とは異なる内容物を収納することもでき、使い勝手が良好になる。
【００３１】
本実施の形態によれば、後壁部１１は、合成樹脂材料製の板材の表面に繊維製の生地が設けられているので、合成樹脂材料製の板材によって後壁部１１の型崩れを防止する一方、表面に繊維製の生地を設けたことによって肌触りを良好にすることができる。
【００３２】
また、本実施の形態によれば、前側部１２の表面に凹凸部２０が形成されているので、前側部１２の強度を一段と高めることができる。
【００３３】
なお、以上説明した本実施の形態は、本考案の理解を容易にするために記載されたものであって、本考案を限定するために記載されたものではない。
【００３４】
例えば、上記実施の形態の前側部１２は、硬質合成樹脂材料としてポリカーボネートを用いた例について説明したが、これに限定することなく、例えばポリアセタール、ナイロンの他、スチロール、アクリル等の他の硬質合成樹脂材料を使用してもよい。
【００３５】
また、上記実施の形態の腰袋１０は、前壁部１５と両側壁部１６との間に斜壁部１６ａを形成した例について説明したが、これに限定することなく、前壁部１５と両側壁部１６との間に斜壁部１６ａを形成しなくてもよい。
【００３６】
さらに、上記実施の形態の後壁部１１は、合成樹脂材料製の板材の表面に繊維製の生地を設けた例について説明したが、これに限定することなく、例えば皮革又は厚布等で形成するようにしてもよい。
【符号の説明】
【００３７】
１０    腰袋
１１    後壁部
１２    前側部
１３    ベルト通し部
１４    後壁補強部
１５    前壁部
１６    側壁部
１６ａ  斜壁部
１７    底壁部
１７ａ  排水孔
１８    収納部
１９    前側補強部
２０    凹凸部
２１    ポケット部
２２    カラビナ
２３    取付部
【図１】
0003223380.tif 000003
【図２】
0003223380.tif 000004
【図３】
0003223380.tif 000005
【図４】
0003223380.tif 000006
【図５】
0003223380.tif 000007